(57)【要約】  本発明は、ベッド布と；ベッド布の第１の縁部に連結される第１の支持側棒、及びベッド布の第２の縁部に連結される第２の支持側棒とを備え、さらに、第１端が第１の支持側棒に蝶着される第１のＬ型支持棒と；第１端が第２の支持側棒に蝶着される第２のＬ型支持棒と；第１のＬ型支持棒の第２端に連結される歯車と；第２のＬ型支持棒の第２端に連結され且つ歯を有する歯車ロック具であって、当該歯が歯車上の歯に対して、第１のＬ型支持棒の第２端と第２のＬ型支持棒の第２端とがベッド布から遠ざかるように回動する際に互いにロックされ、第１のＬ型支持棒の第２端と第２のＬ型支持棒の第２端がベッド布に近づいて回動する際に相対的に摺動する歯車ロック具とを備える折り畳みベッドを開示している。本発明における折り畳みベッドは、折り畳んだ後の体積が小さく、しかも組み立てやすく、折り畳みが簡単である。
2016529080.tif 000002
【特許請求の範囲】
【請求項１】
ベッド布（９）と；
前記ベッド布（９）の第１の縁部に連結される第１の支持側棒（１０）、及び前記ベッド布（９）の前記第１の縁部とは反対側の第２の縁部に連結される第２の支持側棒（２０）と、
を備える折り畳みベッドであって、
第１端が前記第１の支持側棒（１０）に蝶着される第１のＬ型支持棒（１）と；
第１端が前記第２の支持側棒（２０）に蝶着される第２のＬ型支持棒（２）と；
前記第１のＬ型支持棒（１）の第２端に連結される歯車（３）と；
前記第２のＬ型支持棒（２）の第２端に連結される歯車ロック具（４）であって、前記歯車ロック具（４）が歯を有し、当該歯が前記歯車（３）上の歯に対して、前記第１のＬ型支持棒（１）の第２端と前記第２のＬ型支持棒（２）の第２端とが前記ベッド布（９）から遠ざかるように回動する際に、互いに係止し、前記第１のＬ型支持棒（１）の第２端と前記第２のＬ型支持棒（２）の第２端とが前記ベッド布（９）に近づくように回動する際に、相対的に摺動する歯車ロック具（４）と
をさらに備えることを特徴とする折り畳みベッド。
【請求項２】
請求項１に記載の折り畳みベッドにおいて、
歯車固定具（５）であって、前記歯車（３）が前記歯車固定具（５）内に位置しており且つ前記歯車固定具（５）に対して周方向には固定されており軸方向には移動可能であり、前記歯車（３）との間に圧縮ばね（６）が取り付けられており、前記歯車（３）の歯は前記歯車（３）の端面に前記歯車（３）の周方向に沿って設けられており、前記歯車（３）の歯が第１の係止歯面（３２）と第１の摺動歯面（３１）とを有する歯車固定具をさらに備え、
前記歯車ロック具（４）は前記歯車固定具（５）に軸方向に連結されており、前記歯車ロック具（４）の歯は前記歯車ロック具（４）の端面に前記歯車ロック具（４）の周方向に沿って設けられており、前記歯車ロック具（４）の歯が、前記第１の係止歯面（３２）と互いに密着して互いにロックすることができる第２の係止歯面を有し、前記第１の摺動歯面（３１）と互いに密着可能であり且つ相対的な摺動を生じることができる第２の摺動歯面を有することを特徴とする折り畳みベッド。
【請求項３】
請求項２に記載の折り畳みベッドにおいて、
前記歯車固定具（５）の内面に位置規制凹部が開設されており、前記歯車（３）の外周面上に、前記位置規制凹部に適合する位置規制突起（３３）を有することを特徴とする折り畳みベッド。
【請求項４】
請求項２に記載の折り畳みベッドにおいて、
前記第１の係止歯面（３２）は９０°の歯面であり、前記第１の摺動歯面（３１）は４５°の歯面であり、前記第２の係止歯面は９０°の歯面であり、前記第２の摺動歯面は４５°の歯面であることを特徴とする折り畳みベッド。
【請求項５】
請求項２に記載の折り畳みベッドにおいて、
リベット（７）をさらに備え、前記歯車固定具（５）に、前記リベット（７）に適合する第１のリベット孔（５１）が設けられており、前記歯車ロック具（４）に、前記リベット（７）に適合する第２のリベット孔（４１）が設けられていることを特徴とする折り畳みベッド。
【請求項６】
請求項２に記載の折り畳みベッドにおいて、
前記歯車（３）を前記歯車固定具（５）に向けて押し、前記歯車（３）を前記歯車ロック具（４）から外すことができる押しボタン（８）をさらに備えることを特徴とする折り畳みベッド。
【請求項７】
請求項６に記載の折り畳みベッドにおいて、
前記押しボタン（８）は：前記歯車ロック具（４）の外に位置する押しボタン面（８１）と；
記押しボタン面（８１）に連結され、前記歯車（３）を押さえつけることができる押さえ脚（８２）とを備え、前記歯車ロック具（４）に、前記押さえ脚（８２）に適合する押さえ脚孔（４２）が開設されており、前記押さえ脚（８２）の下端に、前記押さえ脚（８２）が前記押さえ脚孔（４２）から抜け出るのを防止する押さえ脚突起（８３）を有することを特徴とする折り畳みベッド。
【請求項８】
請求項２に記載の折り畳みベッドにおいて、
前記歯車固定具（５）は第１の連結管（５３）を有し、前記第１のＬ型支持棒（１）の一端が前記第１の連結管（５３）内に挿入されることを特徴とする折り畳みベッド。
【請求項９】
請求項２に記載の折り畳みベッドにおいて、
前記歯車ロック具（４）上に第２の連結管（４３）を有し、前記第２のＬ型支持棒（２）の一端が前記第２の連結管（４３）内に挿入されることを特徴とする折り畳みベッド。
【請求項１０】
請求項１に記載の折り畳みベッドにおいて、
前記第１のＬ型支持棒（１）の第１端に、前記第１の支持側棒（１０）に係着する第１のＣ型留め具（１１）が設けられており、前記第２のＬ型支持棒（２）の第１端に、前記第２の支持側棒（２０）に係着する第２のＣ型留め具（２１）が設けられていることを特徴とする折り畳みベッド。
【発明の詳細な説明】
【技術分野】
【０００１】
本出願は、２０１４年４月３日に中国特許局に提出され、出願番号が２０１４１０１３４６７４．０であり、発明の名称が「折り畳みベッド」である中国特許出願の優先権を要求しており、その全ての内容が、引用によって本出願に結合される。
【０００２】
本発明は生活用品の分野に関し、より具体的には、折り畳みベッドに関する。
【背景技術】
【０００３】
折り畳みベッドは、折り畳み可能であって、携帯や運搬に便利である等の長所を有しているため、アウトドアレジャー用品の第一選択となっているが、ほとんどの折り畳みベッドには、折り畳んだ後の体積が大きすぎる、組み立てが煩わしい、折り畳みにくい等の欠点が存在しており、人々の生活に不便をもたらしている。
【０００４】
このため、折り畳んだ後の体積が小さく、しかも組み立てやすく、折り畳みが簡単な折り畳みベッドをどのようにして設計するかが、本分野の技術者が早急に解決すべき重要な問題である。
【発明の概要】
【発明が解決しようとする課題】
【０００５】
本発明の目的は、折り畳んだ後の体積が小さく、しかも組み立てやすく、折り畳みが簡単な折り畳みベッドを提供することである。
【課題を解決するための手段】
【０００６】
上記の目的を果たすため、本発明は以下の技術案を提供する：
ベッド布と；
前記ベッド布の第１の縁部に連結される第１の支持側棒、及び、前記ベッド布の前記第１の縁部とは反対側の第２の縁部に連結される第２の支持側棒と
を備える折り畳みベッドであって、
第１端が前記第１の支持側棒に蝶着される第１のＬ型支持棒と；
第１端が前記第２の支持側棒に蝶着される第２のＬ型支持棒と；
前記第１のＬ型支持棒の第２端に連結される歯車と；
前記第２のＬ型支持棒の第２端に連結される歯車ロック具であって、前記歯車ロック具（４）が歯を有し、当該歯が前記歯車上の歯に対して、前記第１のＬ型支持棒の第２端と前記第２のＬ型支持棒の第２端とが前記ベッド布から遠ざかるように回動する際に互いにロックされ、前記第１のＬ型支持棒の第２端と前記第２のＬ型支持棒の第２端とが前記ベッド布に近づくように回動する際に相対的に摺動する歯車ロック具と
をさらに備える折り畳みベッド。
【０００７】
好ましくは、
歯車固定具であって、前記歯車が前記歯車固定具内に位置しており且つ前記歯車固定具に対して周方向には固定されており軸方向には移動可能であり、前記歯車との間に圧縮ばねが取り付けられており、前記歯車の歯は前記歯車の端面に前記歯車の周方向に沿って設けられており、前記歯車の歯が第１の係止歯面と第１の摺動歯面とを有する歯車固定具をさらに備え、
前記歯車ロック具は前記歯車固定具に軸方向に連結されており、前記歯車ロック具の歯は前記歯車ロック具の端面に前記歯車ロック具の周方向に沿って設けられており、前記歯車ロック具の歯が、前記第１の係止歯面と互いに密着して互いにロックすることができる第２の係止歯面を有し、前記第１の摺動歯面と互いに密着可能であり且つ相対的な摺動を生じることができる第２の摺動歯面を有する。
【０００８】
好ましくは、前記歯車固定具の内面に位置規制凹部が開設されており、前記歯車の外周面上に、前記位置規制凹部に適合する位置規制突起を有する。
【０００９】
好ましくは、前記第１の係止歯面は９０°の歯面であり、前記第１の摺動歯面は４５°の歯面であり、前記第２の係止歯面は９０°の歯面であり、前記第２の摺動歯面は４５°の歯面である。
【００１０】
好ましくは、リベットをさらに備え、前記歯車固定具に、前記リベットに適合する第１のリベット孔が設けられており、前記歯車ロック具に、前記リベットに適合する第２のリベット孔が設けられている。
【００１１】
好ましくは、前記歯車を前記歯車固定具に向けて押し、前記歯車を前記歯車ロック具から外すことができる押しボタンをさらに備える。
【００１２】
好ましくは、前記押しボタンが：前記歯車ロック具の外に位置する押しボタン面と；
前記押しボタン面に連結され、前記歯車を押さえ付けることができる押さえ脚とを備え、前記歯車ロック具に、前記押さえ脚に適合する押さえ脚孔が開設されており、前記押さえ脚の下端に、前記押さえ脚が前記押さえ脚孔から抜け出るのを防止する押さえ脚突起を有する。
【００１３】
好ましくは、前記歯車固定具は第１の連結管を有し、前記第１のＬ型支持棒の一端が前記第１の連結管内に挿入される。
【００１４】
好ましくは、前記歯車ロック具上に第２の連結管を有し、前記第２のＬ型支持棒の一端が前記第２の連結管内に挿入される。
【００１５】
好ましくは、前記第１のＬ型支持棒の第１端に、前記第１の支持側棒に係着する第１のＣ型留め具が設けられており、前記第２のＬ型支持棒の第１端に、前記第２の支持側棒に係着する第２のＣ型留め具が設けられている。
【００１６】
上記技術案から、折り畳みベッドを組み立てる際には、第１のＬ型支持棒の第１端を第１の支持側棒に蝶着させ、第２のＬ型支持棒の第１端を第２の支持側棒に蝶着させた後、第１のＬ型支持棒の第２端と第２のＬ型支持棒の第２端を、ベッド布に近づく方向に向かって回動させると、第１のＬ型支持棒の第１端と第２のＬ型支持棒の第１端との距離が次第に大きくなるように変わり、ベッド布を張らせるに至れば、折り畳みベッドの組み立てを完了することができ；折り畳みベッドを折り畳む際には、第１の支持側棒を第１のＬ型支持棒から取り外し、第２の支持側棒を第２のＬ型支持棒から取り外した後、第１のＬ型支持棒の第２端又は第２のＬ型支持棒の第２端を、ベッド布に近づく方向に向かって回動させ続けて、第１のＬ型支持棒１と第２のＬ型支持棒２が合わされば、折り畳みベッドの折り畳みを完了することができることが分かる。本発明における折り畳みベッドは、折り畳んだ後の体積が小さく、しかも組み立てやすく、折り畳みが簡単である。
【図面の簡単な説明】
【００１７】
【図１】図１は、本発明の一具体的実施例が提示する第１のＬ型支持棒、第２のＬ型支持棒、歯車ロック具、歯車、圧縮ばね、歯車固定具、及び押しボタンの分解図である。
【図２】図２は、本発明の一具体的実施例が提示する歯車の構造概略図である。
【図３】図３は、本発明の一具体的実施例が提示する歯車固定具、圧縮ばね、歯車、歯車ロック具、リベット及び押しボタンの分解図である。
【図４】図４は、本発明の一具体的実施例が提示する押しボタンの構造概略図である。
【図５】図５は、本発明の一具体的実施例が提示する折り畳みベッドの使用状態の図である。
【図６】図６は、本発明の一具体的実施例が提示するベッド布が張っているときの第１のＬ型支持棒と第２のＬ型支持棒の概略図である。
【図７】図７は、本発明の一具体的実施例が提示するベッド布がたるんでいるときの第１のＬ型支持棒と第２のＬ型支持棒の概略図である。
【図８】図８は、本発明の一具体的実施例が提示する第１のＬ型支持棒と第２のＬ型支持棒が合わさっているときの構造概略図である。
【図９】図９は、本発明の一具体的実施例が提示する第１のＬ型支持棒と第２のＬ型支持棒が完全に合わさっているときの構造概略図である。
【００１８】
ここで、１は第１のＬ型支持棒であり、１１は第１のＣ型留め具であり、２は第２のＬ型支持棒であり、２１は第２のＣ型留め具であり、１０は第１の支持側棒であり、２０は第２の支持側棒であり、３は歯車であり、３１は第１の摺動歯面であり、３２は第１の係止歯面であり、３３は位置規制突起であり、４は歯車ロック具であり、４１は第２のリベット孔であり、４２は押さえ脚孔であり、４３は第２の連結管であり、５は歯車固定具であり、５１は第１のリベット孔であり、５３は第１の連結管であり、６は圧縮ばねであり、７はリベットであり、８は押しボタンであり、８１は押しボタン面であり、８２は押さえ脚であり、８３は押さえ脚突起であり、９はベッド布である。
【発明を実施するための形態】
【００１９】
本発明は、折り畳んだ後の体積が小さく、しかも組み立てやすく、折り畳みが簡単な折り畳みベッドを開示する。
【００２０】
以下、本発明の実施例中の図面を参照しながら、本発明の実施例の技術案について明確かつ全面的に記述するが、もちろん、記述する実施例は本発明の一部の実施例であるに過ぎず、全ての実施例ではない。本発明の実施例に基づき、当業者が創造的労働を行わない前提の下で得る他の実施例は全て、本発明が保護する範囲に属する。
【００２１】
図１〜図９を参照されたい。図１は、本発明の一具体的実施例が提示する第１のＬ型支持棒、第２のＬ型支持棒、歯車ロック具、歯車、圧縮ばね、歯車固定具、及び押しボタンの分解図である。図２は、本発明の一具体的実施例が提示する歯車の構造概略図である。図３は、本発明の一具体的実施例が提示する歯車固定具、圧縮ばね、歯車、歯車ロック具、リベット、及び押しボタンの分解図である。図４は、本発明の一具体的実施例が提示する押しボタンの構造概略図である。図５は、本発明の一具体的実施例が提示する折り畳みベッドの使用状態の図である。図６は、本発明の一具体的実施例が提示するベッド布が張っているときの第１のＬ型支持棒と第２のＬ型支持棒の概略図である。図７は、本発明の一具体的実施例が提示するベッド布がたるんでいるときの第１のＬ型支持棒と第２のＬ型支持棒の概略図である。図８は、本発明の一具体的実施例が提示する第１のＬ型支持棒と第２のＬ型支持棒が合わさっているときの構造概略図である。図９は、本発明の一具体的実施例が提示する第１のＬ型支持棒と第２のＬ型支持棒が完全に合わさっているときの構造概略図である。
【００２２】
本発明の一具体的実施例においては、折り畳みベッドは、ベッド布９と、第１の支持側棒１０と、第２の支持側棒２０とを備え、第１のＬ型支持棒１と、第２のＬ型支持棒２と、歯車３と、歯車ロック具４とをさらに備える。
【００２３】
このうち、第１の支持側棒１０はベッド布９の一縁部と連結され、第２の支持側棒２０はベッド布９の他の縁部と連結されており、第１の縁部及び第２の縁部は、ベッド布９の向かい合う２つの縁部である。第１のＬ型支持棒１の第１端が第１の支持側棒１０に蝶着され、第２端が歯車３に連結されている。すなわち、第１のＬ型支持棒１における「Ｉ」構造の端部と第１の支持側棒１０が蝶着され、第１のＬ型支持棒１における「一」構造の端部と歯車３が連結されている。第２のＬ型支持棒２の第１端が第２の支持側棒２０に蝶着され、第２端が歯車ロック具４に連結されている。すなわち、第２のＬ型支持棒２における「Ｉ」構造の端部と第２の支持側棒２０が蝶着され、第２のＬ型支持棒２における「一」構造の端部と歯車ロック具４が連結される。
【００２４】
歯車ロック具４は、正方向で歯車３上の歯と相対的に摺動可能であり、逆方向でロックされる歯を有している。すなわち、歯車ロック具４又は歯車３は、回転できるのは１つの方向のみであり、逆の方向ではロックされ回転できない。本実施例においては、歯車３に連結された第１のＬ型支持棒１の第２端と、歯車ロック具４に連結された第２のＬ型支持棒２の第２端とが、ベッド布９に近づく方へ回動する時には、歯車３と歯車ロック具４が相対的に摺動する、すなわち、第１のＬ型支持棒１と第２のＬ型支持棒２の間の回動が許容される。また、第１のＬ型支持棒１の第２端と第２のＬ型支持棒２の第２端が、ベッド布９から遠ざかるように回動する時には、歯車３上の歯と歯車ロック具４上の歯とが互いに係止されるため、第１のＬ型支持棒１と第２のＬ型支持棒２の回動が阻止される。
【００２５】
折り畳みベッドを組み立てる際には、第１のＬ型支持棒１の第１端を第１の支持側棒１０に蝶着させ、第２のＬ型支持棒２の第１端を第２の支持側棒２０に蝶着させた後、第１のＬ型支持棒１の第２端と第２のＬ型支持棒２の第２端を、ベッド布９に近づく方向に向かって回動させ、図７のように矢印の方向に力を加えると、第１のＬ型支持棒１の第１端と第２のＬ型支持棒２の第１端の間の距離が次第に大きくなり、ベッド布９を張らせるに至れば、折り畳みベッドの組み立てを完了することができ、ベッド布９が張った後、図５に示すように、このときベッド面９の引っ張り力が存在するため、第１のＬ型支持棒１の第２端と第２のＬ型支持棒２の第２端にはベッド布９に近づく方向に引き続き回動する傾向はなく、ベッド布９から遠ざかる方向に回転する傾向だけを持つが、第１の係止歯面３２と第２の係止歯面との間の係止作用のため、第１のＬ型支持棒１と第２のＬ型支持棒２は回転できず、これにより折り畳みベッドの使用の安定性を保障している。
【００２６】
折り畳みベッドを折り畳む際には、第１の支持側棒１０を第１のＬ型支持棒１から取り外し、第２の支持側棒２０を第２のＬ型支持棒２から取り外した後、第１のＬ型支持棒１の第２端又は第２のＬ型支持棒の第２端を、ベッド布９に近づく方向に向かって回動させ続けて、第１のＬ型支持棒１と第２のＬ型支持棒２が合わされば、折り畳みベッドの折り畳みを完了することができる。本発明における折り畳みベッドは、折り畳んだ後の体積が小さく、しかも組み立てやすく、折り畳みが簡単である。
【００２７】
本発明の一具体的実施例においては歯車固定具５と圧縮ばね６をさらに備え、歯車３は、歯車固定具５内に位置しており、且つ歯車固定具５に対して周方向に固定され、軸方向に移動可能であり、圧縮ばね６は、歯車３と歯車ロック具４の間に設けられ、歯車固定具５と歯車ロック具４は軸方向に連結されており、すなわち、歯車固定具５と歯車ロック具４は軸方向において相対的に固定されている。歯車３の歯は歯車３の端面に歯車３の周方向に沿って設けられており、歯車３上の歯はいずれも、第１の係止歯面３２と第１の摺動歯面３１とを有する。歯車ロック具４上の歯も、歯車ロック具４の端面に歯車ロック具４の周方向に設けられており、歯車ロック具４上の歯が、第２の係止歯面と第２の摺動歯面とを有する。歯車３の第１の係止歯面３２と歯車ロック具４の第２の係止歯面とが互いに密着し、歯車３の第１の摺動歯面３１と歯車ロック具４の第２の摺動歯面とが互いに密着する。
【００２８】
第１のＬ型支持棒１の第２端と第２のＬ型支持棒２の第２端が、ベッド布９に近づく方向に向かって回動する時に、第１の摺動歯面３１と第２の摺動歯面とが、両者間の摩擦に打ちかって相対的に摺動し、摺動すると同時に、歯車３が第２の摺動歯面の押圧作用を受け、さらに圧縮ばね６を押圧し、歯車固定具５に近づく方向に移動することにより、第１の摺動歯面３１が第２の摺動歯面から外れて、歯車３上の歯が歯車ロック具４上の次の歯に入ることを保証する。
【００２９】
第１のＬ型支持棒１と第２のＬ型支持棒２が、ベッド布９から遠ざかるように回動する傾向を有する場合、歯車３上の第１の係止歯面３２と歯車ロック具４上の第２の係止歯面とが互いに押し合うが、第１の係止歯面３２と第２の係止歯面が互いにロックされ、両者は相対的に摺動することができず、よって第１のＬ型支持棒１と第２のＬ型支持棒２の回動が阻止される。
【００３０】
本実施例では、圧縮ばね６、係止歯面、及び移動可能な歯面を巧みに利用することにより、歯車３又は歯車ロック具４の正方向の回転と逆方向のロックとを実現している。
【００３１】
本発明の一具体的実施例においては、歯車固定具５の内面に位置規制凹部が開設されており、歯車３の外周面上に、位置規制凹部に適合する位置規制突起３３が設けられている。このように歯車３上の位置規制突起３３が歯車固定具５中の位置規制凹部内に係合して、歯車固定具５に対する歯車３の周方向の位置決めが実現されている。もちろん、位置規制の信頼性を保障するため、歯車固定具５の内面上で、その周方向に沿って、複数の、例えば２、３、４個の位置規制凹部を開設し、対応して、複数の位置規制突起を歯車３の外周面に設けることができる。
【００３２】
好ましくは、本発明の一具体的実施例においては、歯車３の第１の係止歯面３２は９０°の歯面であり、第１の摺動歯面３１は４５°の歯面である。歯車ロック具４の第２の係止歯面は９０°の歯面であり、第２の摺動歯面は４５°の歯面である。明らかに、２つの９０°の歯面は互いに係止され、両者は相対的に摺動することができず、２つの４５°の歯面は互いに摺動可能である。もちろん、９０°の歯面と４５°の歯面は好ましい係止歯面と摺動歯面とであるに過ぎず、本明細書は係止歯面と摺動歯面との角度について具体的な限定は行わず、係止と摺動可能性とを満たすことさえできれば、いずれも本明細書の保護範囲に含まれる。
【００３３】
本発明の一具体的実施例においては、リベット７を備え、歯車固定具５には、このリベット７に適合する第１のリベット孔５１が設けられており、歯車ロック具４に、当該リベット７に適合する第２のリベット孔４１が設けられており、リベット７が第１のリベット孔５１と第２のリベット孔４１とを貫通して、歯車固定具５と歯車ロック具４の軸方向における固定を実現する。もちろん、歯車固定具５と歯車ロック具４は、周方向においては、リベット７周りに回動することができる。
【００３４】
本発明の一具体的実施例においては、押しボタン８をさらに備え、この押しボタン８は歯車３を押圧することができ、さらには、歯車３に圧縮ばね６を押圧させ、歯車３を歯車固定具５に近づくように移動させることにより、歯車３を歯車ロック具４から遠ざけ、歯車３と歯車ロック具４の間の係止を解除し、このようにすれば、歯車３と歯車ロック具４は自由に回動することができる、つまり、第１のＬ型支持棒１の第２端と第２のＬ型支持棒２の第２端がベッド布９に近づくように回動でき、ベッド布９から遠ざかるように回動することもできる。図５はベッド布面が張っている状態であり、折り畳みベッドを折り畳もうとする場合、まず押しボタン８を押して、歯車３と歯車ロック具４の間のロックを解除した後、第１のＬ型支持棒１の第２端と第２のＬ型支持棒２の第２端を、ベッド布９から遠ざかる方向に回動させることができ、このようにすれば、第１の支持側棒１の第１端と第２の支持側棒２の第１端との間の距離が小さくなり、ベッド布９もゆるみ、これにより第１の支持側棒１０と第２の支持側棒２０を取り外しやすくなる。
【００３５】
具体的には、上述の押しボタン８は、押しボタン面８１と、押しボタン面８１に連結される押さえ脚８２とを備える。押しボタン８は歯車ロック具４の外に露出しており、歯車ロック具４に、押さえ脚８２に遊嵌される押さえ脚孔４２が開設されており、押さえ脚８２の下部に押さえ脚突起８３が設けられており、この押さえ脚突起８３は、押さえ脚８２が押さえ脚孔４２から抜け出るのを防止する。このようにして、押しボタン８と歯車ロック具４の連結が実現される。
【００３６】
本発明の一具体的実施例においては、歯車固定具５に第１の連結管５３が設けられ、歯車ロック具４に第２の連結管４３が設けられている。第１のＬ型支持棒１の一端が第１の連結管５３内に挿入され、第２のＬ型支持棒２の一端が第２の連結管４３内に挿入される。図８が示すのは、第１のＬ型支持棒１と第２のＬ型支持棒２が合わさった後の状態であり、折り畳んだ後の体積をさらに縮小するため、第２のＬ型支持棒２を第２の連結管４３内で１８０°自転させて第１のＬ型支持棒１に合わせる。もちろん、第１のＬ型支持棒１を第２のＬ型支持棒２に合わせてもよい。
【００３７】
本発明の一具体的実施例においては、第１のＬ型支持棒１における「Ｉ」構造の端部に第１のＣ型留め具１１が設けられており、第２のＬ型支持棒２における「Ｉ」構造の端部に第２のＣ型留め具２１が設けられている。第１のＣ型留め具１１は、第１の支持側棒１０に係着するために用いられ、第２のＣ型留め具２１は、第２の支持側棒２０に係着するために用いられる。Ｃ型留め具を利用して第１のＬ型支持棒１と第１の支持側棒１０との間の取り外し可能な連結及び蝶着を実現すれば、便利であり堅固である。
【００３８】
開示した実施例に関する上記説明は、当業者が本発明を実現したり使用したりするのを可能にする。これらの実施例についてのさまざまな修正は、当業者には明らかであり、本明細書において定義された一般的原理は、本発明の趣旨や範囲から逸脱しない場合において、他の実施例において実現可能である。このため、本発明は、本明細書が示すこれらの実施例に制限されることはなく、本明細書が開示する原理及び新規な特徴と一致する最も幅広い範囲に適合しなければならない。
【図１】
2016529080.tif 000003
【図２】
2016529080.tif 000004
【図３】
2016529080.tif 000005
【図４】
2016529080.tif 000006
【図５】
2016529080.tif 000007
【図６】
2016529080.tif 000008
【図７】
2016529080.tif 000009
【図８】
2016529080.tif 000010
【図９】
2016529080.tif 000011
【国際調査報告】
2016529080.tif 000012
2016529080.tif 000013
2016529080.tif 000014
2016529080.tif 000015